(57)【要約】  テレビ受像機間でコンテンツ許可情報を転送する技術についてここに記述する。コンテンツ及びテレビ受像機関連機能に関する許可情報を携帯型記憶装置に安全に保存する。携帯型記憶装置は、移動し別のテレビ受像機に接続してその別のテレビ受像機に許可情報を転送できる。その別のテレビ受像機は携帯型記憶装置の許可情報にアクセスし、自宅のテレビ受像機が許可されたコンテンツ及び機能へのアクセスをユーザに許可する。
2013510512.tif 000002
【特許請求の範囲】
【請求項１】
テレビ受像機であって、
テレビ番組配信ネットワークから番組を受信するネットワークインタフェースと、
第２テレビ受像機による出力を許可された番組の一部を指定するデータを保存する携帯型記憶装置が接続される入力インタフェースと、
前記携帯型記憶装置に保存された前記データにアクセスし、前記データに基づき前記第２テレビ受像機での視聴が許可された前記番組の一部を特定し、視聴装置によって提供するように前記番組の一部を出力するプロセッサと、
を有するテレビ受像機。
【請求項２】
請求項１に記載のテレビ受像機であって、前記入力インタフェースは、前記携帯型記憶装置が接続されるように構成されたＵＳＢ（ユニバーサルシリアルバス）を有するテレビ受像機。
【請求項３】
請求項１に記載のテレビ受像機であって、前記データは前記第２テレビ受像機が出力を許可された前記番組の少なくとも１つのチャネルを指定するテレビ受像機。
【請求項４】
請求項１に記載のテレビ受像機であって、前記データは前記第２テレビ受像機が出力を許可されたペイパービュー番組を指定するテレビ受像機。
【請求項５】
請求項１に記載のテレビ受像機であって、前記データは前記第２テレビ受像機が出力を許可されたビデオオンデマンド番組を指定するテレビ受像機。
【請求項６】
請求項１に記載のテレビ受像機であって、前記データは前記第２テレビ受像機での操作を許可されたソフトウェアアプリケーションを指定し、前記プロセッサは前記データに基づき前記ソフトウェアアプリケーションの実行を許可するテレビ受像機。
【請求項７】
請求項６に記載のテレビ受像機であって、前記ソフトウェアアプリケーションは前記携帯型記憶装置に保存されるテレビ受像機。
【請求項８】
テレビ受像機であって、
前記テレビ受像機が出力を許可された許可済みコンテンツと前記テレビ受像機が出力を許可されない未許可コンテンツとを含む番組をテレビ番組配信ネットワークから受信するネットワークインタフェースと、
前記許可済みコンテンツを特定する第１許可情報を保存する記憶媒体と、
第２テレビ受像機による出力を許可された前記番組の一部に対する第２許可情報を含む携帯型記憶装置が接続される入力インタフェースと、
前記未許可コンテンツの出力を要求するユーザ入力を受け、前記携帯型記憶装置に保存された前記第２許可情報にアクセスし、前記未許可コンテンツが前記第２テレビ受像機による出力を許可された前記番組の一部に対応するかどうかを判断し、前記未許可コンテンツが前記第２テレビ受像機で許可されていると判断された場合は視聴装置によって提供できるように前記未許可コンテンツを出力するプロセッサと、
を有するテレビ受像機。
【請求項９】
請求項８に記載のテレビ受像機であって、前記入力インタフェースは第２携帯型記憶装置を受け、前記プロセッサは前記第１許可情報に対応するデータの前記第２携帯記憶装置への保存を開始できるテレビ受像機。
【請求項１０】
請求項８に記載のテレビ受像機であって、前記入力インタフェースは前記携帯型記憶装置が接続されるように構成されたＵＳＢ（ユニバーサルシリアルバス）ポートを有するテレビ受像機。
【請求項１１】
請求項８に記載のテレビ受像機であって、前記第２許可情報は前記第２テレビ受像機での動作を許可されたソフトウェアアプリケーションを指定し、前記プロセッサは前記データに基づき前記ソフトウェアアプリケーションの実行を許可するテレビ受像機。
【請求項１２】
請求項１１に記載のテレビ受像機であって、前記ソフトウェアアプリケーションは前記携帯型記憶装置に保存できるテレビ受像機。
【請求項１３】
映像出力装置を操作する方法であって、前記方法は、
第１映像出力装置の条件付きアクセスモジュールにおいて、前記映像出力装置がアクセス権限を持たない未許可コンテンツを特定するステップと、
前記第１映像出力装置に通信可能に接続された携帯型記憶装置に保存され、第２映像出力装置によって出力を許可された前記未許可コンテンツの少なくとも一部を指定するデータにアクセスするステップと、
前記第１映像出力装置において、前記未許可コンテンツの一部へのアクセス要求を受信するステップと、
前記データに基づき前記未許可コンテンツの一部へのアクセスを許可するステップと、
前記未許可コンテンツの一部を視聴装置で提供するように出力するステップと、
を有する方法。
【請求項１４】
請求項１３に記載の方法であって、前記データへアクセスするステップは、
前記携帯型記憶装置と前記第１映像出力装置とを接続するように構成されたＵＳＢ（ユニバーサルシリアルバス）ポートを通して、前記携帯型記憶装置の前記データにアクセスすることを特徴とする方法。
【請求項１５】
請求項１３に記載の方法であって、前記第１映像出力装置及び前記第２映像出力装置はテレビ受像機を有し、前記未許可コンテンツはテレビ番組配信ネットワークから前記第１映像出力装置と前記第２映像出力装置とによって受信された映像コンテンツを含むことを特徴とする方法。
【請求項１６】
請求項１５に記載の方法であって、前記映像コンテンツは、前記テレビ番組配信ネットワークを通して配信された少なくとも１つのチャネルを含むことを特徴とする方法。
【請求項１７】
請求項１５に記載の方法であって、前記映像コンテンツは前記テレビ番組配信ネットワークを通して配信されたペイパービュー番組を含むことを特徴とする方法。
【請求項１８】
請求項１５に記載の方法であって、前記映像コンテンツは前記テレビ番組配信ネットワークを通して配信されたビデオオンデマンドコンテンツを含むことを特徴とする方法。
【請求項１９】
請求項１３に記載の方法であって、前記未許可コンテンツは、前記第１映像出力装置と前記第２映像出力装置とによって実行可能なソフトウェアアプリケーションを少なくとも１つ含み、前記データは前記ソフトウェアアプリケーションの実行に対する許可を含むことを特徴とする方法。
【請求項２０】
請求項１９に記載の方法であって、前記ソフトウェアアプリケーションは前記携帯型記憶装置に保存されることを特徴とする方法。
【発明の詳細な説明】
【技術分野】
【０００１】
本発明は、コンテンツ及びテレビ受像機の機能へのアクセスを許可するためのシステム、方法及び装置に関する。特に、テレビ受像機間でコンテンツ許可情報を転送する技術に関する。
【背景技術】
【０００２】
テレビ番組配信システム（ケーブルテレビや衛星テレビの番組配信システム等）において、コンテンツは通常特定のテレビ受像機に対してアクセスが許可される。つまり、ユーザは購入したコンテンツを視聴できる場所に制約を受ける。
【発明の概要】
【発明が解決しようとする課題】
【０００３】
これは問題である。何故ならユーザはユーザ自身のテレビ受像機とは異なる場所で購入したコンテンツの視聴を望むこともあるからである。例えばユーザは、自身のアカウントでボクシング戦をペイパービュー（ＰＰＶ）購入し、友人の家のより大きなテレビで視聴したいと希望する場合もある。しかしながらそのような希望する状況を実現させようとしても他の場所にあるテレビ受像機で購入したコンテンツを鑑賞することはできない。
【課題を解決するための手段】
【０００４】
コンテンツ及びテレビ受像機関連機能に対する許可情報は、携帯型記憶装置に安全に保存される。この携帯型記憶装置は、移動して異なるテレビ受像機に接続し、その異なるテレビ受像機に許可情報を転送できる。その異なるテレビ受像機は、携帯型記憶装置内の情報にアクセスし、ユーザが自宅のテレビ受像機によるアクセスを許可されたコンテンツ及び機能に対するアクセスをユーザに許可する。
【発明の効果】
【０００５】
このようにユーザは購入したコンテンツを異なる場所で視聴することができる。
【図面の簡単な説明】
【０００６】
同じ番号は、すべての図面において同じ構成要素又は同じタイプの構成要素を示す。
【図１】通信ネットワークの一実施形態を示す図である。
【図２】図１のテレビ受像機の一実施形態を示す図である。
【図３】図１のテレビ受像機の一実施形態のブロック図を示す図である。
【図４】映像出力装置の動作工程の一実施形態を示す図である。
【発明を実施するための形態】
【０００７】
少なくとも一実施形態では、テレビ受像機はテレビ番組配信ネットワークから番組を受信するネットワークインタフェースを含む。さらにテレビ受像機は、携帯型記憶装置を受ける入力インタフェースを含む。携帯型記憶装置は、第２テレビ受像機による出力が許可された番組の一部を特定するデータを保存する。テレビ受像機は、携帯記憶装置に保存されたデータにアクセスし、そのデータに基づき第２テレビ受像機で視聴が許可された番組の一部を特定し、視聴装置によって提供するように番組の該当部分を出力できるプロセッサをさらに含む。
【０００８】
少なくとも一実施形態において、入力インタフェースは、携帯型記憶装置が接続されるように構成されたＵＳＢ（ユニバーサルシリアルバス）ポートを有する。携帯型記憶装置は、入力インタフェースに通信可能に接続されるＵＳＢフラッシュメモリ装置等を有してもよい。入力インタフェースはＵＳＢフラッシュメモリ装置に保存された許可情報にアクセスし、プロセッサはその許可情報を使用して特定のコンテンツに対するユーザアクセスを許可する。
【０００９】
他の実施形態では、映像出力装置の動作方法を含む。方法は、第１映像出力装置の条件付きアクセスモジュールにおいて、この映像出力装置がアクセス権限を持たない未許可コンテンツを特定することを含む。方法はさらに、第１映像出力装置に通信可能に接続された携帯型記憶装置に保存されたデータへアクセスすることを含み、データは第２映像出力装置による出力が許可された未許可コンテンツの少なくとも一部を特定する。方法はさらに第１映像出力装置において未許可コンテンツの一部へのアクセス要求を受け入れ、データに基づきその未許可コンテンツの一部へのアクセスを許可することを含む。方法はさらに、視聴装置によって提供するように未許可コンテンツの一部を出力することを含む。
【００１０】
図１は通信ネットワーク１００の一実施形態を示す。通信ネットワーク１００は、コンテンツ源１０２、テレビ番組配信システム１０４、テレビ受像機１０６Ａ、１０６Ｂ、視聴装置１０８Ａ、１０８Ｂ、リモコン１１０Ａ、１１０Ｂ、携帯型記憶装置１１４を含む。これらの各構成要素について詳細を以下に述べる。通信ネットワーク１００は記載を簡潔にするため示されない他の構成要素、部品、装置等を含んでもよい。
【００１１】
コンテンツ源１０２は、コンテンツを受信し、生成し、単数又は複数のテレビ受像機１０６Ａ、１０６Ｂへ送信できる。受信、処理、出力、送信されるコンテンツは、音声、映像、データ、情報、又はその他の形式を含むが、これらに限らずいかなる形式であってもよい。少なくとも一実施形態では、コンテンツ源１０２は、他の発信元から様々な形式やタイプのコンテンツを受信し、コンテンツを集約し、テレビ番組配信システム１０４を介してテレビ受像機１０６へコンテンツを送信する。コンテンツ源１０２は、ストリーミングテレビ番組、記録された音楽コンテンツ又は映像コンテンツ、電子番組表データ等を含む実質的にあらゆる形式及びタイプの情報を単数又は複数の発信源から受信できるものとする。
【００１２】
少なくとも一実施形態では、コンテンツ源１０２は、許可情報を生成し、テレビ受像機１０６Ａか１０６Ｂ又はその両方への送信を開始できる。例えばコンテンツ源１０２は、テレビ受像機１０６Ａか１０６Ｂ又はその両方が特定のチャンネル、特定のチャンネルパック、ペイパービュー（ＰＰＶ）コンテンツ、ビデオオンデマンド（ＶＯＤ）コンテンツ等へのアクセスを許可する情報を生成してもよい。各テレビ受像機１０６Ａは、テレビ受像機１０６Ａから視聴装置１０８Ａへの出力を許可されたコンテンツを特定する許可情報を保存する。
【００１３】
テレビ番組配信システム１０４は、コンテンツ源１０２からのコンテンツをテレビ受像機１０６Ａか１０６Ｂ又はその両方へ送信できる。テレビ番組配信システム１０４は、あらゆるタイプの有線（例えばケーブルやファイバ）か無線（例えば、携帯、衛星、マイクロ波及びその他の無線周波数）又はその両方の通信媒体及びあらゆる望まれるネットワークトポロジ（複数の媒体が利用される場合は複数のネットワークトポロジ）を有してもよい。テレビ番組配信システム１０４は、例として、地上波、ケーブル、衛星及びインタネットプロトコルのテレビ番組配信システムを含む。少なくとも一実施形態では、テレビ配信システム１０４は、複数のテレビ受像機１０６Ａ及び１０６Ｂへコンテンツを放送又はマルチキャスト配信する。テレビ番組配信システム１０４は、例えばビデオオンデマンドコンテンツ等のコンテンツをアドレス指定可能なテレビ受像機１０６Ａ又は１０６Ｂへ配信することも可能である。少なくとも一実施形態では、コンテンツ源１０２は、テレビ番組配信システム１０４の通信設備として組み入れてもよい。コンテンツ源１０２は、例として、オーバーザエアー（ＯＴＡ）地上波通信設備、ケーブルテレビ配信ヘッドエンド、衛星テレビアップリンクセンタ、ブロードバンド又はインタネットサービス等を含む。テレビ番組配信システム１０４は、電子番組表データ等の映像コンテンツ以外も配信でき、それらはテレビ受像機１０６Ａか１０６Ｂ又はその両方によって処理される。
【００１４】
テレビ受像機１０６Ａ、１０６Ｂは、テレビ番組配信システム１０４からコンテンツを受信し、受信したコンテンツを対応する視聴装置１０８Ａ、１０８Ｂによって提供するように出力できる。少なくとも一実施形態では、各視聴装置１０８Ａ、１０８Ｂはコンテンツをユーザ１１２に表示するように構成された表示装置（例えばテレビ）である。テレビ受像機１０６Ａ、１０６Ｂは、あらゆる形式（例えば、アナログ又はデジタル）の音声／映像ストリームを受け取り、対応する視聴装置１０８Ａ、１０８Ｂによって提供するように音声ストリーム及び映像ストリームを出力する。少なくとも一実施形態では、テレビ受像機１０６Ａ、１０６Ｂは、セットトップボックス（例えば、衛星テレビ受像機、ケーブルテレビ受像機、地上波テレビ受像機、インターネットプロトコルテレビ受像機又はあらゆる他のタイプの受像装置及び変換装置）又はユーザ１１２に提供するため単数又は複数の音声出力ストリームか映像出力ストリーム又はその両方を処理し視聴装置へ提供する同様の機器である。テレビ受像機１０６Ａ、１０６Ｂは、ユーザ１１２がテレビ受像機１０６Ａ、１０６Ｂによって音声／映像コンテンツの出力を制御したり、電子番組表を見たり、録画／録音タイマを設定したりできるようにするメニューや他の情報を出力するようにさらに構成してもよい。
【００１５】
視聴装置１０８Ａ、１０８Ｂは、あらゆる形式の映像信号を受信及び出力できるあらゆるタイプの装置によって構成できる。視聴装置１０８Ａ、１０８Ｂの例としての実施形態は、テレビ、コンピュータのモニタ、液晶（ＬＣＤ）スクリーン、タッチスクリーン及びプロジェクタを含む。視聴装置１０８Ａ、１０８Ｂとテレビ受像機１０６Ａ、１０６Ｂはあらゆるタイプの有線又は無線インタフェースによって通信可能に接続される。視聴装置１０８Ａ、１０８Ｂは、テレビ受像機１０６Ａ、１０６Ｂへ通信可能に接続され、例えば同軸ケーブル、コンポーネントビデオケーブル又はコンポジットビデオケーブル、ＨＤＭIケーブル、ＶＧＡケーブル又はＳＶＧＡケーブル、ブルートゥース又はＷｉＦｉ無線接続等によって接続できる。実施形態によっては、テレビ受像機１０６Ａ、１０６Ｂと視聴装置１０８Ａ、１０８Ｂとは、統合ケーブルカード機能を有するテレビ等のディスプレイ装置やテレビ受像機の機能を組み合わせた１台の装置として統合してもよい。
【００１６】
ユーザ１１２は、リモコン１１０Ａ、１１０Ｂ又はテレビ受像機１０６Ａ、１０６Ｂに対応した他のタイプのデータ入力装置を使用してテレビ受像機１０６Ａ、１０６Ｂを制御可能である。リモコン１１０Ａ、１１０Ｂは、テレビ受像機１０６Ａ、１０６Ｂによるコンテンツの出力をリモートで制御するように構成されたシステム又は装置を有する。例えば、リモコン１１０Ａ、１１０Ｂは、ユーザ１１２から入力を受けるボタンを含んでもよい。少なくとも一実施形態では、リモコン１１０Ａ、１１０Ｂは、ユーザ１１２から入力を受けるタッチパッドを含む。リモコン１１０Ａ、１１０Ｂは、送信機、入力装置（例えばキーパッド）、リモコン１１０Ａ、１１０Ｂの動作を制御するプロセッサ又は制御倫理を最低限含む。リモコン１１０Ａ、１１０Ｂは、コンテンツの再生、コンテンツ内の時間的な移動（例えば、早送りや巻き戻し）、音量の調節、電子番組表へのアクセス、録画／録音時間の設定及び変更、テレビ受像機１０６Ａ、１０６Ｂの基本設定の編集等を要求する指令をテレビ受像機１０６Ａ、１０６Ｂに対して送信してもよい。実施形態によっては、リモコン１１０Ａ、１１０Ｂは、リモートで視聴装置１０８Ａ、１０８Ｂを制御するようにさらに構成してもよい。リモコン１１０Ａ、１１０Ｂは、赤外線（ＩＲ）信号や高周波数（ＲＦ）信号等のあらゆるタイプの無線通信メディアを介してテレビ受像機１０６Ａ、１０６Ｂか視聴装置１０８Ａ、１０８Ｂ又はその両方と通信することができる。
【００１７】
通信ネットワーク１００は、携帯型記憶装置１１４も含む。携帯型記憶装置１１４は、テレビ受像機１０６Ａ又は１０６Ｂと関連付けられた許可情報を安全に保存するよう構成される。携帯型記憶装置１１４は、テレビ受像機１０６Ａ又は１０６Ｂのどちらかとインタフェース可能ないかなるタイプのデータ記憶装置として実装してもよい。例えば、携帯型記憶装置１１４は、テレビ受像機１０６Ａ、１０６ＢのＵＳＢポートに接続されるＵＳＢフラッシュメモリ等として実装できる。少なくとも一実施形態では、携帯型記憶装置１１４は、ＵＳＢドングル又はハードウェアキーとして実装してもよい。携帯記憶装置１１４は、希望する設計基準に応じてＩＥＥＥ  １３９４、ＷｉＦｉ、ブルートゥース等の他のタイプの有線又は無線のコネクタを使用してテレビ受像機１０６Ａ又は１０６Ｂとインタフェースすることもできる。
【００１８】
上記のように、少なくとも一実施形態では、各テレビ受像機１０６Ａ、１０６Ｂは各受像機が出力を許可されたコンテンツを示す許可情報を保存する。携帯型記憶装置１１４は、テレビ受像機１０６Ａ、１０６Ｂ内に保存された許可情報と同一の情報又はテレビ受像機１０６Ａ、１０６Ｂ内に保存された許可情報のサブセット又はそれに対応するデータを保存してもよい。例えばテレビ受像機１０６Ａは、テレビ受像機１０６Ａによる出力が許可されたコンテンツをまとめたデータを生成できる。まとめたデータは次に携帯型記憶装置１１４に保存され、別のテレビ受像機１０６Ｂによるコンテンツへのアクセスを許可するために使用される。
【００１９】
少なくとも一実施形態では、携帯型記憶装置１１４は、テレビ受像機１０６Ａに対応するように初期設定される。例えば、携帯型記憶装置１１４はテレビ受像機１０６Ａに接続し、テレビ受像機１０６Ａと動作するように初期化される。テレビ受像機１０６Ａは携帯型記憶装置１１４へ保存するように許可情報を提供する。例えば、ユーザ１１２がボクシング戦のＰＰＶイベントを注文すると、テレビ受像機１０６Ａは、接続された携帯型記憶装置１１４へそのイベントに関する許可情報の保存を開始する。
【００２０】
ユーザ１１２がそのイベントを別の場所で視聴したいと希望する場合、ユーザ１１２は携帯型記憶装置１１４をテレビ受像機１０６Ｂへ接続する。少なくとも一実施形態では、次にユーザ１１２はリモコン１１０Ｂを使用してテレビ受像機１０６Ｂを通したそのイベントへのアクセスを要求する。テレビ受像機１０６Ｂは携帯型記憶装置１１４に保存された許可情報にアクセスし、携帯記憶装置１１４に保存された許可情報に基づき、ユーザ１１２がテレビ受像機１０６Ｂでそのイベントにアクセスすることを許可するかどうか判断する。テレビ受像機１０６Ｂが、携帯型記憶装置に保存された許可情報に基づき、ユーザ１１２がイベントを視聴することが許可されていると判断した場合は、テレビ受像機１０６Ｂはユーザ１１２が要求したイベントを出力する。このようにユーザ１１２は許可済みコンテンツを別の場所で視聴できる。
【００２１】
図２は、図１のテレビ受像機１０６Ａの一実施形態を図示する。テレビ受像機１０６Ａは通信インタフェース２０２、プロセッサ２０４、出力インタフェース２０６、制御インタフェース２０８、メモリ２１０及び入力インタフェース２１２を含む。テレビ受像機１０６Ａの各部は、単数又は複数のデータバス２１４又はその他のタイプのデータ接続によって通信可能に接続される。テレビ受像機１０６Ａは記載を簡潔にするために図示されないその他の構成要素、部品又は装置を含んでもよい。少なくとも一実施形態では、テレビ受像機１０６Ｂ（図１参照）は、テレビ受像機Ａと同様に構成できることを理解されたい。
【００２２】
通信インタフェース２０２は、テレビ番組配信システム１０４からコンテンツ及びその他のデータを受信できる。より具体的には、少なくとも一実施形態では、通信インタフェース２０２は、テレビ番組を含むテレビ信号を受信し、チューニングする。通信インタフェース２０２は、ＯＴＡ（オーバージエアー）放送、ＤＢＳ（直接放送衛星信号）、ケーブルテレビ信号又はＩＰＴＶ信号を受信し、コンテンツをチューニングし、選択されたテレビ番組を抽出する。少なくとも一実施形態では、通信インタフェース２０２はテレビ受像機１０６によって使用される複数のチューナを有し、同時に複数のテレビ番組を出力か記録又はその両方をする。
【００２３】
プロセッサ２０４は、テレビ受像機１０６Ａの動作を制御できる。ここでの利用のようにプロセッサ２０４は、１台の処理装置又は相互運用可能な複数の処理装置を意味する。プロセッサ２０４の動作は、プロセッサ２０４で実行可能な指令によって制御してもよい。指令の例としては、ソフトウェア、プログラムコード、ファームウェアがある。プロセッサ２０４の様々な実施形態には、あらゆる形式のソフトウェアコードを実行するあらゆる種類のマイクロコントローラ又はマイクロプロセッサが含まれる。プロセッサ２０４は、通信インタフェース２０２によるデータ及びコンテンツの受信、さらに出力インタフェース２０６による映像コンテンツの出力を制御する。少なくとも一実施形態では、プロセッサ２０４は電子番組表メニュー等のコンテンツ選択メニューを視聴装置１０８Ａで提供するように生成できる。
【００２４】
プロセッサ２０４はメモリ２１０に通信可能に接続される。メモリ２１０は、プロセッサ２０４の動作中にデータを保存できる。そのようなデータには、プロセッサ２０４によって実行されるソフトウェア及びファームウェアが含まれ、さらにプロセッサ２０４の動作中に生成されるシステムデータかプログラムデータ又はその両方も含む。メモリ２１０は、あらゆる種類のデジタルメモリ（あらゆる種類のＲＯＭ（読み出し専用メモリ）、ＲＡＭ、フラッシュメモリ等を含む）又はそれらの組み合わせを有してもよい。
【００２５】
少なくとも一実施形態では、メモリ２１０は、テレビ受像機１０６Ａが視聴装置１０８Ａに出力することを許可された特定の番組を含む許可情報を有する。例えば、許可情報はテレビ受像機１０６Ａによる出力を許可された特定のチャネルを指定する。さらに許可情報はテレビ受像機１０６Ａが出力の権限を持つ、例えばペイパービュー（ＰＰＶ）映画やビデオオンデマンドコンテンツ等の特定の番組を指定することもできる。少なくとも一つの実施形態では、テレビ番組配信ネットワーク１０４を通して、コンテンツ源１０２から許可情報を受信する。
【００２６】
少なくとも一実施形態では、テレビ受像機１０６Ａは、テレビ受像機１０６Ａによって記録された映像信号を連続的に保存できる記録媒体（図２には図示せず）を任意で含んでもよい。記録媒体は、テレビ受像機１０６Ａによって記録された映像信号を保存するために適したあらゆるタイプの不揮発性メモリによって構成できる。例としての保存媒体は、ハードドライブ（例えば、磁気メモリ）、フラッシュメモリ及びバッテリバックアップメモリ等を含む。少なくとも一実施形態では、記憶媒体はテレビ受像機１０６Ａ内部に設けてもよい。他の実施形態では、記憶媒体はテレビ受像機１０６Ａに対して外部に設けてもよい。さらにテレビ受像機１０６Ａは、映像信号の保存用に内部と外部の保存媒体を組み合わせて利用することもできる。記録モードでは、プロセッサ２０４は出力インタフェース２０６によるコンテンツの受信及び保存媒体へのコンテンツの保存を制御できる。プロセッサ２０４は次にコンテンツ選択メニューを生成し、ユーザ１１２が記録されたコンテンツを視聴装置１０８Ａによって再生するために選択可能にする。
【００２７】
テレビ受像機１０６Ａは、視聴装置１０８Ａとのインタフェースとなる出力インタフェース２０６をさらに含む。より具体的には、出力インタフェース２０６は視聴装置１０８Ａ（図１参照）によって提供するように情報を出力できる。出力インタフェース２０６は、音声データ、映像データ、Ａ／Ｖ（音声／映像）データ、テキストデータ、画像等を含むあらゆるタイプの視聴用データを視聴装置１０８Ａへ出力できる。他の実施形態では、出力インタフェース２０６は、コンピュータやサーバ等の他の構成要素、装置、部品へデータを送信できるネットワークインタフェースを有してもよい。出力インタフェース２０６は、テレビ受像機１０６Ａのプロセッサ２０４か他の構成要素又はその両方からデータを受信し、視聴装置１０８Ａ（図１参照）へ出力する。
【００２８】
制御インタフェース２０８は、リモコン１１０Ａ（図１参照）等の単数又は複数の入力装置とのインタフェースを持つ。入力装置は、データをテレビ受像機１０６Ａに入力するあらゆるタイプの装置を含んでもよい。より具体的には、入力装置から受信したデータは、プロセッサ２０４の動作か視聴装置１０８Ａへのデータ出力又はその両方を制御するために使用できる。制御インタフェース２０８とリモコン１１０Ａは、ＵＳＢ、ＷｉＦｉ及び赤外線等を含むあらゆるタイプの有線又は無線接続によって通信可能に接続してもよい。実施形態によっては、制御インタフェース２０８はリモコン１１０Ａからのあらゆるタイプの無線周波数通信又は赤外線通信を受信する無線受信機を有してもよい。
【００２９】
入力インタフェース２１２は携帯型記憶装置１１４とのインタフェースを持つ。プロセッサ２０４からの指令に対応し、入力インタフェース２１２は、携帯型記憶装置１１４に保存されたデータにアクセスするか、携帯型記憶装置１１４へのデータの保存を開始するか、又はその両方を実行する。例えば、携帯型記憶装置１１４はＵＳＢハードウェアキーを有し、入力インタフェース２１２はこのＵＳＢハードウェアキーとインタフェースし、保存されたデータへのアクセスを要求してもよい。少なくとも一実施形態では、携帯型記憶装置１１４に保存されたデータは、テレビ受像機１０６Ａの特定のコンテンツ、機能、アプリケーション等へアクセスするための許可情報を含む。実施形態によっては携帯型記憶装置１１４に保存されるデータはテレビ受像機１０６Ａ、１０６Ｂ上で実行できるソフトウェアアプリケーションを含み、更にテレビ受像機１０６Ａ、１０６Ｂによって提供される音声コンテンツ、映像コンテンツ、音声／映像コンテンツ、画像等も含む。
【００３０】
携帯型記憶装置へのデータの保存
【００３１】
少なくとも一実施形態では、テレビ受像機１０６Ａは許可情報の携帯型記憶装置１１４への保存を開始する。例えば、テレビ受像機１０６Ａを携帯型記憶装置１１４に対しホーム受像機として関連付け、メモリ２１０内に保存される許可情報を携帯型記憶装置１１４に保存される許可情報と同期させてもよい。少なくとも一実施形態では、携帯型記憶装置１１４は特定の時点において１台のテレビ受像機１０６Ａ、１０６Ｂと関連付けてもよい。言い換えれば、携帯型記憶装置１１４は特定の時点において１台のテレビ受像機１０６Ａ、１０６Ｂに対する許可情報を保存し、それによってユーザが携帯型記憶装置１１４上に同時に複数台のテレビ受像機１０６Ａ、１０６Ｂに対する許可情報を保存することを防ぐ。同期処理は、携帯型記憶装置１１４に保存された許可情報の追加、削除、更新を含むが、それは携帯型記憶装置１１４とメモリ２１０とが最後に同期してから行なわれたメモリ２１０内の許可情報への変更による。
【００３２】
少なくとも一実施形態では、携帯型記憶装置１１４に保存される許可情報はメモリ２１０内に保存される許可情報とミラーリングしてもよい。言い換えれば、プロセッサ２０４はメモリ２１０から携帯型記憶装置１１４への許可情報のコピーを実施する。実施形態によっては、携帯型記憶装置１１４に保存される許可情報はメモリ２１０に保存される許可情報のサブセットであってもよい。携帯型記憶装置１１４は、例えばＰＰＶイベントや有料追加チャネル等の特定のコンテンツに対する許可情報を保存し、例えば基本受信チャネル等の他のコンテンツに対する許可情報は省略してもよい。
【００３３】
少なくとも一実施形態では、メモリ２１０と携帯型記憶装置１１４との間の同期は、携帯型記憶装置１１４が入力インタフェース２１２と通信可能に接続されると自動的に実行される。言い換えれば、ユーザ１１２が携帯型記憶装置１１４をテレビ受像機１０６Ａに接続すると、プロセッサ２０４は携帯型記憶装置１１４に保存された許可情報に対する修正を制御するように動作する。同期処理はユーザ１１２の要求に対応してテレビ受像機１０６Ａによっても実行できることを理解されたい。例えば、ユーザ１１２はテレビ受像機１０６Ａによって出力されるメニューを利用し、テレビ受像機１０６Ａと携帯型記憶装置１１４との同期を要求してもよい。少なくとも一実施形態では、ユーザ１１２は携帯型記憶装置１１４に保存する許可情報を選択してもよい。例えばユーザ１１２は、携帯型記憶装置１１４に保存する特定のコンテンツに対応する許可情報を選択してもよい。
【００３４】
コンテンツに対する許可情報に加えて、携帯型記憶装置１１４はテレビ受像機１０６Ａの機能に対する許可情報を保存してもよい。例えば携帯型記憶装置１１４は、テレビ受像機１０６Ａ、１０６Ｂで実行できるソフトウェアアプリケーションに対する許可情報を保存してもよい。それによりユーザ１１２は他のテレビ受像機１０６Ｂにランセンスが関連付けられたソフトウェアアプリケーションをテレビ受像機１０６Ａで実行するように要求できる。ゲーム、映像編集ソフト、メッセージ用ソフトは、テレビ受像機１０６Ａを通して使用できるソフトウェアアプリケーションのいくつかの例である。少なくとも一実施形態では、携帯型記憶装置１１４はあるテレビ受像機１０６Ａから他のテレビ受像機へ転送されるソフトウェアアプリケーションを保存する。携帯型記憶装置１１４は、あるテレビ受像機１０６Ａから他のテレビ受像機１０６Ｂへ転送できる映像、写真及び他のデータを保存してもよい。携帯型記憶装置１１４がアプリケーション、音声コンテンツ、映像コンテンツ、音声／映像コンテンツ及び画像等の他のデータを保存する場合、ユーザ１１２はテレビ受像機１０６Ａのメニューを使用して携帯型記憶装置１１４に保存するデータを特定してもよい。
【００３５】
少なくとも一実施形態では、携帯型記憶装置１１４に保存されるデータは暗号化された形式で保存してもよい。その場合、携帯記憶装置１１４に保存されたデータに許可を受けてアクセス及び修正することは、より難しくなる。少なくとも一実施形態では、携帯型記憶装置１１４は、保存されたデータに対するアクセス及び修正を特定の機器かソフトウェアアプリケーション又はその両方に制限するハードウェア構成要素を含んでもよい。例えば、プロセッサ２０４は認証信任状を携帯型記憶装置１１４へ供給し、プロセッサ２０４を介してテレビ受像機１０６Ａによる携帯型記憶装置１１４に保存されたデータへのアクセスを許可する。
【００３６】
携帯型記憶装置からのデータの検索
【００３７】
テレビ受像機１０６Ａ、１０６Ｂによって携帯型記憶装置１１４へデータが一旦保存されると、そのデータはユーザ１１２による特定のコンテンツへのアクセスを許可するため他のテレビ受像機１０６Ａ、１０６Ｂによって利用できる。例えば、携帯型記憶装置１１４はテレビ受像機１０６Ｂによる出力を許可されたコンテンツに対する許可情報を保存してもよい。携帯型記憶装置１１４は入力インタフェース２１２に接続し、インタフェース２１２はそこに保存された許可情報にアクセスできる。
【００３８】
少なくとも一実施形態では、プロセッサ２０４は携帯型記憶装置１１４に保存された許可情報を処理し、テレビ受像機１０６Ａを通してどのコンテンツへのアクセスをユーザ１１２に許可するかを判断する。携帯型記憶装置１１４に保存された許可情報はメモリ２１０に保存された許可情報を補うために利用してもよい。つまり、テレビ受像機１０６Ａがある特定のコンテンツの出力を許可されておらず、一方携帯型記憶装置１１４に保存された許可情報がそのコンテンツへのアクセスの許可を示す場合、プロセッサ２０４は携帯型記憶装置１１４がテレビ受像機１０６Ａに接続されている間はそのコンテンツを出力するように動作できる。
【００３９】
少なくとも一実施形態では、プロセッサ２０４は制御インタフェース２０８を介して特定のコンテンツへのアクセスを要求する入力を受信する。プロセッサ２０４は、メモリ２１０に保存された第1許可情報にアクセスし、そのコンテンツがテレビ受像機１０６Ａによる出力を許可されているかどうかを判断する。メモリ２１０に保存された許可情報によるとプロセッサ２０４はそのコンテンツを出力する権限がない場合、次にプロセッサ２０４は携帯型記憶装置１１４に保存された第２許可情報にアクセスし、そのコンテンツの出力が許可されているかどうかを判断する。第２許可情報がプロセッサ２０４はそのコンテンツを出力する権限があると示す場合、プロセッサ２０４は出力インタフェース２０６による視聴装置１０８Ａへのコンテンツの出力を制御するよう動作する。
【００４０】
例えば、テレビ受像機１０６Ａは表１に示すテレビチャネルを受信する。さらに表１は、テレビ受像機１０６Ａによる出力を許可された特定のチャネル及びテレビ受像機１０６Ｂによる出力を許可された特定のチャネルを示す。テレビ受像機Ａに許可されたチャネルに対する許可情報はメモリ２１０に保存され、テレビ受像機１０６Ｂに許可されたチャネルに対する許可情報は携帯型記憶装置１１４に保存される。
【００４１】
【表１】
2013510512.tif 000003
表１：各テレビ受像機に対し許可されたチャネル
【００４２】
表１に示すように、テレビ受像機１０６Ａはチャネル２、３、５、８へアクセスする権限を持ち、チャネル４、６、７へアクセスする権限は持たない。チャネル２、３、５、８への許可情報はメモリ２１０に保存される。テレビ受像機１０６Ｂは、チャネル４、６へアクセスする権限をさらに持つが、チャネル７へアクセスする権限は持たない。テレビ受像機１０６Ｂによってアクセス可能なチャネルに関する許可情報は携帯型記憶装置に保存される。
【００４３】
ユーザ１１２がチャネル２、３、５、８へのアクセスを要求すると、プロセッサ２０４はメモリ２１０内の許可情報を検索して確認しユーザ１１２から要求されたコンテンツを出力する。ユーザ１１２がチャネル４又は６へのアクセスを要求した場合は、メモリ２１０に保存された情報によるとプロセッサ２０４はコンテンツを出力する権限を持たない。しかしながらプロセッサ２０４は、携帯型記憶装置からの許可情報の検索を実施し、コンテンツの出力が許可されていることを確認する。次にプロセッサ２０４は要求されたチャネル４又は６の一方の出力を開始する。ユーザ１１２がチャネル７へのアクセスを要求した場合は、プロセッサ２０４はメモリ２１０に保存された第１許可情報と携帯型記憶装置１１４に保存された第２許可情報の両方をチェックする。どちらの許可情報も要求チャネルの出力に対する権限をテレビ受像機１０６Ａへ与えないので、プロセッサ２０４はチャネル７のコンテンツを出力しない。
【００４４】
少なくとも一実施形態では、プロセッサ２０４は携帯型記憶装置１１４から許可情報を取得し、メモリ２１０に保存されたアクセスマトリックス又はデータベースを変更する。アクセスマトリックスは携帯型記憶装置１１４内の許可情報によって指定される特定のコンテンツをテレビ受像機１０６Ａによって出力する一時的な権限を示す。携帯型記憶装置１１４がその後取り外されると、プロセッサ２０４はマトリックス又はデータベースを更新し、テレビ受像機１０６Ａは携帯型記録装置１１４内に指定されたコンテンツにアクセスする権限をもう持たないことを示す。少なくとも一実施形態では、プロセッサ２０４は携帯型記憶装置１１４へ定期的にクエリを送り装置１１４が入力インタフェース２１２へ通信可能にまだ接続されているか確認する。入力インタフェース２１２は携帯型記憶装置１１４の切断を検出し、その旨プロセッサに通知するように動作してもよい。
【００４５】
ソフトウェアアプリケーション
【００４６】
上述した通り携帯型記憶装置１１４は、テレビ受像機１０６Ａによって実行可能なソフトウェアアプリケーションへのアクセスに対する許可情報を保存できる。例えばテレビ受像機１０６Ａは、ユーザ１１２がアクセスできるように様々なソフトウェアアプリケーションを記録媒体に保存できる。ただしアプリケーションはユーザ１１２が適切なライセンスを購入するまでアクセス不可としてもよい。少なくとも一実施形態では、ユーザ１１２はプロセッサ２０４によって生成されたメニューから複数のアプリケーションの内の１つへのアクセスを要求する。プロセッサ２０４はメモリ２１０及び携帯型記憶装置をチェックし、ソフトウェアアプリケーションの実行を許可すべきかどうか確認する。適切な許可情報が携帯型記憶装置１１４にある場合は、プロセッサ２０４はソフトウェアアプリケーションの実行を許可する。
【００４７】
少なくとも一実施形態では、ソフトウェアアプリケーション及びあらゆる許可情報は、両方とも携帯型記憶装置１１４に保存してもよい。携帯型記憶装置１１４が入力インタフェース２１２に接続されると、プロセッサ２０４はメニューを出力し、ユーザが実行するソフトウェアアプリケーションを選択できるようにする。次にプロセッサ２０４は携帯型記憶装置１１４内のソフトウェアアプリケーションファイルにアクセスして実行する。
【００４８】
携帯型記憶装置に保存されるコンテンツ
【００４９】
少なくとも一実施形態では、携帯型記憶装置１１４はテレビ受像機１０６によって提供されるあらゆるタイプのコンテンツを保存できる。例えば、音声コンテンツ、映像コンテンツ、音声／映像コンテンツ、画像及び電子書籍等を携帯型記憶装置１１４に保存できる。プロセッサ２０４は携帯型記憶装置１１４に保存されたデータへアクセスし、視聴装置１０８Ａによって提供されるコンテンツを出力する。少なくとも一実施形態では、コンテンツは暗号化された形式で携帯型記憶装置１１４に保存され、プロセッサ２０４によって携帯型記憶装置１１４に保存されたコンテンツを復号化する。
【００５０】
場合によっては、携帯型記憶装置１１４に保存されたコンテンツは、携帯型記憶装置１１４内にアクセス制限を持つ。このように、携帯型記憶装置１１４に保存されたコンテンツへのアクセスを許可する許可情報があってもよい。許可情報は携帯型記憶装置１１４に保存され、コンテンツへのアクセス要求に対応してプロセッサ２０４によってアクセスされる。プロセッサ２０４が許可情報を認証した場合は、出力インタフェース２０６は視聴装置１０８Ａによって提供するように携帯型記憶装置１１４に保存されたコンテンツを出力する。
【００５１】
図３は、図１に示すテレビ受像機の一実施形態のブロック図を示す。図３について、図１の通信ネットワーク１００を参照して説明する。テレビ受像機１０６Ｃについて衛星テレビ受像機に関連して説明する。ただし、ここで説明する技術は他のタイプのテレビ受像機にも適応できることを理解されたい。テレビ受像機１０６Ｃは、チューナ３０２、番組識別子（ＰＩＤ）フィルタ３０４、条件付きアクセスシステム３０６、ハードウェアキー３０８、音声／映像デコーダ３１０及び出力インタフェース３１２を含む。以下にこれらの各構成要素の詳細を示す。テレビ受像機１０６Ｃは記載を簡潔にするため示されない他の構成要素、部品、装置等を含んでもよい。
【００５２】
チューナ３０２は、コンテンツ源１０２（図１参照）から衛星トランスポートストリームを受信する。より具体的には、衛星トランスポートストリーム３２０は、テレビ番組配信システム１０４の複数の中継器に関連付けられたデータを含む。ユーザ１１２はテレビ受像機１０６Ｃに入力を行ない、特定のテレビチャンネルの視聴を要求する。例えばユーザ１１２は、テレビ受像機１０６Ｃに付随のリモコン１１０Ａを使用して視聴するチャネルを選択してもよい。チューナ３０２は選択されたチャネルを放送する中継器を特定し、その特定の中継器に関付けられたデータを抽出し、中継器トランスポートストリーム３２２を生成する。少なくとも一実施形態では、テレビ受像機１０６Ｃは複数のチューナを有し、テレビ番組配信ネットワーク１０４の複数の中継器で放送される複数のテレビ番組を同時にチューニングする。
【００５３】
中継器トランスポートストリーム３２２は、テレビ番組プロバイダの複数のチャネルに関連付けられた番組及び電子番組表データ等の他のデータを含んでもよい。例えばトランスポートストリームは、スポーツチャネル、映画チャネル、ニュースチャネル、電子番組表データ及び多重送信される権限制御メッセージ（ＥＣＭ：Ｅｎｔｉｔｌｅｍｅｎｔ  Ｃｏｎｔｒｏｌ  Ｍｅｓｓａｇｅ）と権限管理メッセージ（ＥＭＭ：Ｅｎｔｉｔｌｅｍｅｎｔ  Ｍａｎａｇｅｍｅｎｔ  Ｍｅｓｓａｇｅ）を含んでもよい。少なくとも一実施形態では、中継器トランスポートストリーム３２２内の音声／映像コンテンツは、例えばＭＰＥＧ−２やＭＰＧ−４形式等の圧縮形式で受信される。中継器トランスポートストリーム３２２内のデータの一部を暗号化し、中継トランスポートストリーム３２２内のデータの他の部分は暗号化しなくてもよい。中継トランスポートストリーム３２２内の様々な要素は一意のＰＩＤによって特定できる。例えば、スポーツチャネルと関連付けられた映像データを第１ＰＩＤと関連付け、スポーツチャネルと関連付けられた音声データを第２ＰＩＤと関連付けてもよい。同様に、コンテンツを復号化するために使用される制御語をトランスポートストリームの第３ＰＩＤと関連付けてもよい。
【００５４】
少なくとも一実施形態では、チューナ３０２は中継器トランスポートストリーム３２２をＰＩＤフィルタ３０４へ送信する。ＰＩＤフィルタ３０４は視聴するためにユーザ１１２によって選択された特定のチャネルに関連付けられたＰＩＤストリームを抽出し、フィルタされたトランスポートストリーム３２４を生成する。ＰＩＤフィルタ３０４は、選択されたＰＩＤを含むフィルタされたトランスポートストリーム３２４をストリーム内の暗号化された音声／映像コンテンツを復号化するために条件付きアクセスシステム３０６へ供給する。例えばＰＩＤフィルタは、選択されたチャネル（例えば映画チャネルやスポーツチャネル）に関連付けられた番組を中継器トランスポートストリーム３２２から抽出し、フィルタされたトランスポートストリーム３２４を生成する。少なくとも一実施形態では、中継器トランスポートストリーム３２２は暗号化しない部分を含み、チューナ３０２は音声／映像デコーダ３１０と通信可能に接続され中継器トランスポートストリーム３２２を音声／映像デコーダ３１０へ供給する。
【００５５】
少なくとも一実施形態では、条件付きアクセスシステム３０６はスマートカード（図３にて図示せず）とのインタフェースを提供し、フィルタされたトランスポートシステム３２４を復号化してもよい。フィルタされたトランスポートストリーム３２４は暗号化された音声／映像コンテンツ（例えば、特定の番組に関連付けられた音声データ及び映像データ）、さらに音声／映像ストリームを復号化するために使用される暗号化キー情報を含んでもよい。実施形態によっては、映像データは暗号化し、音声データは暗号化しなくてもよい。この場合、少なくとも一実施形態では、フィルタされたとトランスポートストリーム３２４は暗号化された映像データを含むが音声データは含まない。暗号化キー情報は、例えばＥＣＭやＥＭＭ等を含んでもよく、それらはフィルタされたトランスポートストリーム３２４内の暗号化された音声／映像ストリームを復号化するために利用される。ＥＭＭは、コンテンツプロバイダによるサービスの許可に関連する。基本的にＥＭＭは、特定のテレビ受像機１０６Ｃ又はテレビ受像機１０６Ｃの特定のグループ（例えば特定の地理的地域）に対して指定されたサービス（例えば特定のテレビ番組）へのアクセスを許可する。ＥＭＭ及びＥＣＭは制御語を導くために使用され、制御語は選択された音声／映像コンテンツの復号化用の入力として使用される。ＥＭＭ及びＥＣＭは、望まれる設計基準に従ってテレビ番組配信システム１０４のオペレータによって適宜更新される。
【００５６】
条件付きアクセスシステム３０６は、ハードウェアキー３０８とのインタフェースを提供し、ハードウェアキー３０８は、テレビ受像機１０６Ｂ（図１参照）等の他のテレビ受像機に関する許可情報３２６を保存する。条件付きアクセスシステム３０６は適切なインタフェースハードウェア（ＵＳＢインタフェース等）を介してハードウェアキー３０８に通信可能に接続される。少なくとも一実施形態では、条件付きアクセスシステム３０６はハードウェアキー３０８を受けるソケットを含む。ハードウェアキー３０８は、権限メッセージや復号化キー等の許可情報３２６をさらに処理するため条件付きアクセスシステム３０６へ供給してもよい。条件付きアクセスシステム３０６は、この許可情報を使用し、フィルタされたトランスポートストリーム３２４内のユーザ１１２から要求された一部へのアクセスを許可する。例えば、条件付きアクセスシステム３０６はハードウェアキー３０８から受けた許可情報３２６を利用し、ＥＭＭ及びＥＣＭ内の情報を復号化し制御語を導く。制御語はフィルタされたトランスポートシステム３２４内の暗号化された音声／ビデオコンテンツをスクランブル解除するためのキーである。
【００５７】
復号化処理によって、圧縮ストリーム３３２等の非暗号化音声／映像コンテンツが生成される。条件付きアクセスシステム３０６は圧縮された音声／映像ストリーム３３２をさらに処理するため音声／映像デコーダ３１０へ出力する。少なくとも一実施形態では、トランスポートストリームマルチプレクサ等の他の要素によって、音声／映像デコーダ３１０に入力するために、中継器トランスポートストリーム３２２と圧縮ストリーム３３２等の複数の入力をまとめてもよい。
【００５８】
音声／映像デコーダ３１０は圧縮ストリーム３３２を受け、関連付けられたコンテンツをデコードし、非圧縮ストリーム３３４を生成する。少なくとも一実施形態では、音声／映像デコーダ３１０は、音声デコーダ及び映像デコーダ等、個別の入力を受け、望まれる設計基準に従って例えば音声構成要素及び映像構成要素等の非圧縮出力構成要素を個別に供給する。出力インタフェース３１２は、非圧縮ストリーム３３４を受け音声／映像要素を適切な形式に変換し、出力のため視聴装置１０８へ出力する。少なくとも一実施形態では、出力インタフェース３１２は、出力ストリーム３３６を単数又は複数の音声／映像形式に変調するモジュレータとして組み入れられる。出力インタフェース３１２は、コンポジット映像、コンポーネント映像、ＲＦ変調、インタネットプロトコル（ＩＰ）ストリーム、ＳＣＡＲＴ、ＤＶＩ（Ｄｉｇｉｔａｌ  Ｖｉｓｕａｌ  Ｉｎｔｅｒｆａｃｅ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を含む視聴装置１０８によって認識可能な形式で出力ストリーム３３６を出力する回路を組み入れてもよい。
【００５９】
図４は、映像出力装置の動作工程の一実施形態を示す。特に図４の工程は、特定のコンテンツに対する許可情報をあるテレビ受像機から他のテレビ受像機へ転送することに関する。図４の工程は、記載を簡潔にするため示されない他の操作を含んでもよい。
【００６０】
工程は、第１映像出力装置の条件付きアクセスモジュールにおいて、映像出力装置がアクセス権限を持たない未許可コンテンツの特定を含む（ステップ４０２）。例えば、映像出力装置は、映像出力装置が出力を許可されたコンテンツを指定する第１許可情報を保存してもよい。映像出力装置は、外部サーバを介してアクセスされる又は映像出力装置にローカルで保存された特定のチャネル、ＰＰＶコンテンツ、ＶＯＤコンテンツの出力を許可されない場合もある。
【００６１】
工程は第１映像出力装置と通信可能に接続された携帯型記憶装置に保存されたデータへアクセスすることを含む（ステップ４０４）。データは、第２映像出力装置による出力を許可され、第１映像出力装置では未許可のコンテンツを少なくとも一部指定する。データは第２許可情報、ライセンス情報、復号化キー、権限メッセージ等であってもよい。映像出力装置は、ユーザが視聴用に選択できるコンテンツを指定する一時的な許可マトリックス、データベース等を構築してもよい。少なくとも一実施形態では、許可マトリックスはユーザに出力するコンテンツ選択メニューを生成するために使用する。少なくとも一実施形態では、一時的な許可マトリックスは、携帯型記憶装置が映像出力装置に接続されている限り有効である。携帯型記憶装置が映像出力装置から切断されると、第２許可情報に指定されたアクセスパラメータの削除に基づき変更される。
【００６２】
さらに工程は、第１映像出力装置において未許可のコンテンツの一部へのアクセス要求を受けること（ステップ４０６）をさらに含む。例えばユーザは、映像コンテンツ選択メニューを使用して、外部サーバを介してアクセス可能なＶＯＤ映画へのアクセスを要求する。ＶＯＤ映画は第１映像出力装置を介して購入されていないため、第１映像出力装置と関連付けられない。映画は第２映像出力装置を使用して購入され第２映像出力装置に関連付けられる。さらに工程はデータ（例えば、第２許可情報）に基づき未許可コンテンツの一部へのアクセスを許可すること（ステップ４０８）及び視聴装置によって提供するように未許可コンテンツの一部を出力すること（ステップ４１０）を含んでもよい。
【００６３】
ここでは具体的な実施形態を説明したが、発明の範囲はこれらの具体的な実施形態に制限されない。発明の範囲は請求項及び請求項内の同等物によって定義される。
【図１】
2013510512.tif 000004
【図２】
2013510512.tif 000005
【図３】
2013510512.tif 000006
【図４】
2013510512.tif 000007
【国際調査報告】
2013510512.tif 000008
2013510512.tif 000009
2013510512.tif 000010